(57)【要約】【課題】  小型化・低背化を実現しつつ確実なロック状態及び導通状態を実現し、プラグの挿抜を繰り返しても、各部材に損傷を与えることの少なく、さらに、リセプタクルとプラグの嵌合位置がずれた場合でも、高いロック状態を実現するコネクタを提供する。【解決手段】  プラグ側アンカーは、長板状部材からなる基部と、基部の幅方向端部から延設された板状部材からなる挿入部と、基部から延設され、プラグ本体に係合する係合保持部と、基部から延設されるプラグ側固定部と、を有し、リセプタクル側アンカーは、長板状部材からなる連結部と、連結部の幅方向端部から延設された板状部材を折り曲げてなり、その弾性力により内面に挿入部の外面が当接した状態で挿入部を保持する凹部を備える弾性保持部と、連結部から延設されるリセプタクル側固定部と、を有し、少なくとも凹部の内面及び挿入部の外面は圧延により形成してなる面である。【選択図】  図２
2006100240.tif 000002
【特許請求の範囲】
【請求項１】
絶縁部材からなるプラグ本体、このプラグ本体に保持された少なくとも１以上のプラグコンタクト、及び前記プラグ本体に保持されたプラグ側アンカーを有するプラグと、絶縁部材からなり前記プラグが挿抜される差込溝が設けられたリセプタクル本体、前記差込溝に前記プラグが挿入されたときに前記プラグコンタクトに接触導通するように前記リセプタクル本体に保持された少なくとも１以上のリセプタクルコンタクト、及び、前記リセプタクル本体に保持された前記プラグ側アンカーを保持するリセプタクル側アンカーを有するリセプタクルと、を備えたコネクタであって、
前記プラグ側アンカーは、
長板状部材からなる基部と、
前記基部の幅方向端部から延設された板状部材からなる挿入部と、
前記基部から延設され、前記プラグ本体に係合する係合保持部と、
前記基部から延設されるプラグ側固定部と、を有し、
前記リセプタクル側アンカーは、
長板状部材からなる連結部と、
前記連結部の幅方向端部から延設された板状部材を折り曲げてなり、その弾性力により内面に前記挿入部の外面が当接した状態で前記挿入部を保持する凹部を備える弾性保持部と、
前記連結部から延設されるリセプタクル側固定部と、を有し、
少なくとも前記凹部の内面及び前記挿入部の外面は圧延により形成してなる面であることを特徴とするコネクタ。
【請求項２】
前記凹部は、底部と、前記底部の両端を折り曲げて互いに対向するように形成された第１立設部及び第２立設部と、から構成され、前記第１立設部には前記第２立設部に近づく方向に突出した第１突起部が設けられ、前記挿入部は、前記基部から離れる方向に突出する突起部を備えている請求項１記載のコネクタ。
【請求項３】
前記第２立設部には前記第１立設部に近づく方向に突出した第２突起部が設けられている請求項２記載のコネクタ。
【請求項４】
前記挿入部は、所定の間隔を介して前記板状部材を折り返してなり、プラグの挿抜方向に延びる鉛直部を備える請求項１から請求項３のいずれか１項記載のコネクタ。
【請求項５】
前記弾性保持部には、前記凹部の前記連結部から遠い側の端部から、前記連結部から離れる方向に延びる係合部が設けられている請求項１から請求項４のいずれか１項記載のコネクタ。
【請求項６】
前記プラグ及び前記リセプタクルのいずれか一方は表示装置ユニット上に配置され、他方は基板上に配置され、前記差込溝に前記プラグを挿入することにより前記表示装置ユニットと前記基板とが導通する請求項１から請求項５のいずれか１項記載のコネクタ。
【請求項７】
前記プラグ及び前記リセプタクルのいずれか一方は撮像素子ユニット上に配置され、他方は基板上に配置され、前記差込溝に前記プラグを挿入することにより前記撮像素子ユニットと前記基板とが導通する請求項１から請求項５のいずれか１項記載のコネクタ。
【請求項８】
前記挿入部と前記弾性保持部は互いに電気的に導通している請求項１〜７のいずれか１項記載のコネクタ。
【請求項９】
請求項１から請求項８のいずれか１項記載のコネクタを備えたことを特徴とする携帯端末。
【発明の詳細な説明】
【技術分野】
【０００１】
本発明は、互いに結合して電気的に接続されるリセプタクルとプラグを備え、リセプタクルに設けたリセプタクル側アンカーとプラグに設けたプラグ側アンカーの作用により、リセプタクルとプラグを確実にロック状態にすることのできるコネクタに関する。
【背景技術】
【０００２】
リセプタクルとプラグとを備え、リセプタクルに設けられた差込溝にプラグを挿入することにより両者を導通させるコネクタにおいては、これを搭載する携帯端末その他の装置の小型化に伴って、低背化の要請が強まりつつある。
【０００３】
しかし、コネクタを低背化すると、プラグの挿抜（挿入及び抜脱）方向におけるリセプタクルコンタクト及びプラグコンタクトのストロークが小さくなるため、リセプタクルコンタクトとプラグコンタクトの接触圧が低下するという傾向がある。さらに、これらのコンタクトの数が少なくなるほどプラグとリセプタクルとのロック状態を維持することが困難となる。
【０００４】
これに対して、リセプタクルの長手方向両端部にリセプタクル側アンカーを、プラグの長手方向両端部にプラグ側アンカーを、それぞれ組み付けたコネクタが提案されている（特許文献１、特許文献２）。これらのコネクタでは、リセプタクル側アンカーに設けたロック部と、プラグ側アンカーに設けた被ロック部とを互いに係止させて従来より確実なロック状態の実現を図っていた。
【特許文献１】特開２００３−２９７４８５号公報
【特許文献２】特開２００１−５７２７３号公報
【発明の開示】
【発明が解決しようとする課題】
【０００５】
しかしながら、上述のコネクタでは、リセプタクル側アンカー及びプラグ側アンカーが剪断によって形成されているため、プラグの挿抜を繰り返すと、その剪断面により相手側の部材や周辺部材に損傷を与えてしまうことが少なくなく、これにより、コネクタ内に異物が発生、堆積してしまうという問題があった。さらに、これらのリセプタクル側アンカー及びプラグ側アンカーは、その構造上、コネクタのさらなる低背化に対応することが困難であった。
【０００６】
また、リセプタクルとプラグの間には嵌合のために所定の間隙が設けてあり、この間隙の範囲内で、リセプタクルとプラグの嵌合位置がずれる場合がある。このずれ量によっては、上述のリセプタクル側アンカーとプラグ側アンカーが正しく係止できずにロック力が低下する方向が生じるため、振動や衝撃が加わったときにその方向からプラグがリセプタクルから容易に外れやすかった。
【課題を解決するための手段】
【０００７】
上記課題を解決するために、本発明のコネクタにおいては、絶縁部材からなるプラグ本体、このプラグ本体に保持された少なくとも１以上のプラグコンタクト、及びプラグ本体に保持されたプラグ側アンカーを有するプラグと、絶縁部材からなりプラグが挿抜される差込溝が設けられたリセプタクル本体、差込溝にプラグが挿入されたときにプラグコンタクトに接触導通するようにリセプタクル本体に保持された少なくとも１以上のリセプタクルコンタクト、及び、リセプタクル本体に保持されたプラグ側アンカーを保持するリセプタクル側アンカーを有するリセプタクルと、を備え、プラグ側アンカーは、長板状部材からなる基部と、基部の幅方向端部から延設された板状部材からなる挿入部と、基部から延設され、プラグ本体に係合する係合保持部と、基部から延設されるプラグ側固定部と、を有し、リセプタクル側アンカーは、長板状部材からなる連結部と、連結部の幅方向端部から延設された板状部材を折り曲げてなり、その弾性力により内面に挿入部の外面が当接した状態で挿入部を保持する凹部を備える弾性保持部と、連結部から延設されるリセプタクル側固定部と、を有し、少なくとも凹部の内面及び挿入部の外面は圧延により形成してなる面であることを特徴としている。
【０００８】
上記凹部は、底部と、底部の両端を折り曲げて互いに対向するように形成された第１立設部及び第２立設部と、から構成され、第１立設部には第２立設部に近づく方向に突出した第１突起部が設けられ、挿入部は、基部から離れる方向に突出する突起部を備えていることが好ましい。さらに、第２立設部に第１立設部に近づく方向に突出した第２突起部が設けることもできる。
【０００９】
上記挿入部は、所定の間隔を介して板状部材を折り返してなり、プラグの挿抜方向に延びる鉛直部を備えるとよい。
【００１０】
上記弾性保持部には、凹部の連結部から遠い側の端部から、連結部から離れる方向に延びる係合部が設けられていることが好ましい。
【００１１】
上記プラグ及びリセプタクルのいずれか一方を表示装置ユニット上に、他方を基板上に配置することができ、差込溝にプラグを挿入することにより表示装置ユニットと基板とを導通させることができる。
【００１２】
上記プラグ及びリセプタクルのいずれか一方は撮像素子ユニット上に配置され、他方は基板上に配置され、差込溝にプラグを挿入することにより撮像素子ユニットと基板とが導通することができる。
【００１３】
上記挿入部と上記弾性保持部は互いに電気的に導通していることが好ましい。
【００１４】
本発明の携帯端末は、上述のいずれかのコネクタを備えたことを特徴としている。
【発明の効果】
【００１５】
本発明によると、小型化・低背化を実現しつつ確実なロック状態及び導通状態を実現するコネクタを提供することができる。さらに、プラグの挿抜を繰り返しても、各部材に損傷を与えることの少ない耐久性の高いコネクタを提供することができる。また、リセプタクルとプラグの嵌合位置がずれた場合でも、ばらつきが少なく、かつ、高いロック力を保持することができるコネクタを提供することができる。
【発明を実施するための最良の形態】
【００１６】
本実施形態に係るコネクタは、互いに結合して電気的に接続されるリセプタクル１０（図１）とプラグ５０（図３）とを備える。例えば、リセプタクル１０とプラグ５０の一方をＬＣＤ（液晶ディスプレイ）（表示装置）ユニットやＣＣＤ（電荷結合素子）（撮像素子）ユニット側に配置し、他方をこれらのユニットと導通して動作を制御する基板側に配置して、リセプタクル１０とプラグ５０とを結合することによってユニットと基板とを電気的に接続する。また、本実施形態に係るプラグ５０とリセプタクル１０は、携帯端末（例えば、携帯電話、携帯可能なコンピュータを含むＰＤＡ（Personal Digital Assistant））内における接続や、携帯端末と外部機器との接続に適用することができる。なお、リセプタクル１０及びプラグ５０は、ＬＣＤユニットのほかに、表示装置として、ＣＲＴ(Cathode Ray Tube)ディスプレイユニット、プラズマディスプレイユニット、有機エレクトロルミネッセント素子ディスプレイユニットにも適用することができる。また、ＣＣＤユニットのほかに、撮像素子として、ＣＭＯＳ（Complementary Metal Oxide Semiconductor）ユニットにも、リセプタクル１０及びプラグ５０を適用することができる。
【００１７】
図１に示すリセプタクル１０は、絶縁部材である合成樹脂の射出成型品からなりプラグ５０が挿抜される差込溝２１が設けられたリセプタクル本体２０と、差込溝２１の両側にそれぞれ配設された複数のリセプタクルコンタクト３０と、リセプタクル本体２０の長手方向両端の壁部２２、２３のそれぞれに対して組み付けられたリセプタクル側アンカー４０と、を備える。リセプタクル本体２０は、例えばナイロン９Ｔ（商標）、変性ナイロン、液晶ポリマーを射出成型してなる絶縁性部材である。
【００１８】
リセプタクルコンタクト３０は差込溝２１を挟むように配置され、差込溝２１の外側に延びるリセプタクル側端子部３４は取付対象物（例えば回路基板）の導電パターンに半田固定される。また、リセプタクル側アンカー４０は、そのリセプタクル側固定部４８、４９がそれぞれ取付対象物に対して電気的及び機械的に接続されている。ここで、プラグ５０をリセプタクル１０に嵌合するときにプラグ５０が配置される側（図１において上側）を上側、リセプタクル１０が配置される側（図１において下側）を下側と称している。
【００１９】
図２に示すリセプタクル側アンカー４０は、長板状部材からなる連結部４２と、連結部４２の長手方向中央においてその幅方向端部から延設された弾性保持部４３と、長手方向に垂直に折り曲げられた連結部４２の両端部４６、４７のそれぞれから、連結部４２の長手方向に平行に延設された一対のリセプタクル側固定部４８、４９と、から構成される。連結部４２の両端部４６、４７と、リセプタクル側固定部４８、４９と、の接続部分には、連結部４２の長手方向及び幅方向に垂直な方向に突出したプラグ本体係止部４４ａ、４４ｂが配置されている。連結部４２の下側端部の長手方向両端には、上側へ所定距離だけ凹設された押さえ部４２ａ、４２ｂが形成されている。
【００２０】
リセプタクル側アンカー４０は、壁部２２、２３に対して上側から挿入されてリセプタクル本体２０に組み付けられ、係止部４４ａ、４４ｂによりリセプタクル本体２０に掛け止められ、半田付けによりリセプタクル側固定部４８、４９がリセプタクル本体２０に固定される。このリセプタクル側固定部４８、４９は、リセプタクル本体２０から外側へ延出して取付対象物に対して電気的及び機械的に接続される。このとき、押さえ部４２ａ、４２ｂと取付対象物によりリセプタクル本体２０が挟持される。なお、リセプタクル側固定部４８、４９は、連結部４２の長手方向と交差する方向に平行に設けても良いし、両端部４６、４７以外の連結部４２の任意の位置に設けることができる。
【００２１】
弾性保持部４３は、圧延により一定の板厚とした一定幅の板状部材を折り曲げ加工してなるものであって、リセプタクル本体２０に組み付けたときにプラグ５０の挿抜方向と略垂直となる第１水平部４３ａと、この第１水平部４３ａから延設され、上向きの開口を備えた略Ｕ字状の凹部４３ｂと、凹部４３ｂの端部をいったん第１水平部４３ａと平行な方向に曲成した後に下側に折り返すことにより下向きの開口を備えた係合部４３ｃと、からなる。この係合部４３ｃは、凹部４３ｂの連結部４２から遠い側の端部から、連結部４２から離れる方向に延び、リセプタクル本体２０に設けられた被係合部２４に係合される（図２（ｄ））。
【００２２】
弾性保持部４３の幅は、弾性力向上の観点からは、できる限り大きくすることが好ましい。幅を大きくすることにより、弾性保持部４３のロック力が向上するとともに、プラグ５０をリセプタクル１０に挿抜するときに、リセプタクル１０に対してプラグ５０の位置を平行に矯正する効果を増すことができる。さらに、プラグ５０をリセプタクル１０に位置をずらして嵌合した場合、弾性保持部４３の復元力によりプラグ５０をリセプタクル１０の中央、すなわち所定の嵌合位置に移動させることができ、位置ずれに伴う接触不良を抑止する効果もある。なお、弾性保持部４３の板厚及び幅は一定でなくても良く、第１水平部４３ａから係合部４３ｃに向かうにつれて徐々に小さくすることもできる。また、弾性保持部４３は、連結部４２の長手方向中央に設けるほか、連結部４２の長手方向中央に関して対称な位置に一つずつ設けても良い。
【００２３】
凹部４３ｂは、第１水平部４３ａの端部を下側に曲成してなる第１立設部１４３、この第１立設部１４３の端部を曲成してなる底部１４４、及び、底部１４４の端部から第１立設部１４３と対向するように延設した第２立設部１４５からなる。第１立設部１４３と、第１水平部４３ａとの接続部分が係合部４３ｃ側に突出する第１突起部４３ｂ１が形成され、第２立設部１４５と、係合部４３ｃとの接続部分には第１水平部４３ａ側に突出する第２突起部４３ｂ２が形成されている。第１突起部４３ｂ１と第２突起部４３ｂ２との間隔は、外力を加えていない自然状態ではＤ１となっている。また、第１突起部４３ｂ１と、第２立設部１４５の内面のうち連結部４２から最も遠い部分までの距離は自然状態ではＤ３（Ｄ３＞Ｄ１）となっている。
【００２４】
なお、凹部４３ｂは、第１立設部１４３と底部１４４、及び、底部１４４と第２立設部１４５をそれぞれ直角に折り曲げて、コの字状に形成しても良い。また、図２（ｅ）に示すように、第２立設部１４５を底部１４４の端部から第１立設部に接近するような平面または曲面で形成し、第２立設部１４５と係止部４３ｃとの接続部分を第２突起部４３ｂ２として機能させてもよい。
【００２５】
図３に示すプラグ５０は、絶縁部材である合成樹脂のインサート成型品からなる略直方体形状のプラグ本体６０と、それぞれ帯状の金属部材からなりプラグ本体６０の長手方向に沿った両側にそれぞれリセプタクル１０におけるリセプタクルコンタクト３０と対応して同じピッチで配設された複数のプラグコンタクト７０と、プラグ本体６０の長手方向両端に設けた壁部６４のそれぞれに対して組み付けられたプラグ側アンカー８０と、を備える。プラグ本体６０は、例えばナイロン９Ｔ（商標）、変性ナイロン、液晶ポリマーからなり、プラグコンタクト７０とともに一体成型（インサート成型）してなる絶縁性部材である。
【００２６】
プラグコンタクト７０はプラグ本体６０の長手方向壁部６１を貫通するように配置され、長手方向壁部６１から外側へ延びるプラグ側端子部７４は取付対象物（例えば回路基板）の導電パターンに半田固定される。また、プラグ側アンカー８０は、そのプラグ側固定部８８、８９がそれぞれ取付対象物に対して電気的及び機械的に接続されている。
【００２７】
図４に示すプラグ側アンカー８０は、長板状部材からなる基部８２と、基部８２の長手方向中央において幅方向端部から延設された挿入部８３と、挿入部８３に関して基部８２の長手方向両側に設けられた一対の係合保持部８４、８５と、長手方向に垂直に折り曲げられた基部８２の両端部８６、８７のそれぞれから、基部８２の長手方向に延設された一対のプラグ側固定部８８、８９と、から構成される。プラグ本体６０から外側へ延出するプラグ側固定部８８、８９は、それぞれ、取付対象物に対して電気的及び機械的に接続される。係合保持部８４、８５を、壁部６４に穿設した係合孔部６４ａ、６４ｂにそれぞれ挿入することにより、プラグ側アンカー８０はプラグ本体６０に保持される。なお、プラグ側固定部８８、８９は、基部８２の長手方向と交差する方向に平行に設けても良いし、両端部８６、８７以外の基部８２の任意の位置に設けることができる。また、係合保持部８４、８５は、係合孔部６４ａ、６４ｂと対応していれば、任意の場所に任意の数だけ設けることができる。
【００２８】
挿入部８３は、圧延により一定の板厚とした板状部材を折り曲げ加工してなるものであって、基部８２と平行に延びる鉛直部８３ａと、基部８２の長手方向中央からその幅方向に延設された板状部材を折り返して鉛直部８３ａの端部と連結する折り返し部８３ｂと、からなる。挿入部８３は、基部８２とともに、所定の間隔Ｇを介して折り返してなる略Ｕ字状とされている（図４（ｃ））。鉛直部８３ａには、その長手方向（基部８２の幅方向に平行な方向）の所定位置に、基部８２から離れる方向に突出する一対の突起部８３ａ１が形成されている。なお、突起部８３ａ１に代えて、ディンプル形状やビード形状とすることもできる。また、挿入部８３は、基部８２の長手方向中央に設けるほか、基部８２の長手方向中央に関して対称な位置に一つずつ設けても良い。さらにまた、鉛直部８３ａと折り返し部８３ｂ、及び、折り返し部８３ｂと基部８２をそれぞれ直角に折り曲げて、コの字状に形成しても良い。鉛直部８３ａと基部８２との間隔をゼロとしたり、折り曲げ加工を施さずに基部８２の長手方向中央からその幅方向に延設することにより挿入部８３を形成することもできるが、プラグ５０の挿抜に対する追従性の観点からは、鉛直部８３ａと基部８２との間隔Ｇがあった方が鉛直部８３ａのばね性を得ることができることから好ましい。
【００２９】
プラグ側アンカー８０は、プラグ５０の嵌合方向上側（図３の下側）から壁部６４内に挿入されてプラグ本体６０に組み付けられる。基部８２は内側壁６４ｄに、折り返し部８３ｂは内側壁６４ｃに、それぞれ接触している。プラグ５０の長手方向において、壁部６４の端面６４ｅから鉛直部８３ａの外側面８３ａ２までの距離Ｄ２（プラグ５０の長手方向における基部８２の外側面８２ａから鉛直部８３ａの外側面８３ａ２までの距離Ｄ４に端面６４ｅの板厚を加算したもの）はＤ１より大きく、かつ、Ｄ３より小さく設定されている。
【００３０】
リセプタクル側アンカー４０及びプラグ側アンカー８０は、所定の形状にスタンピング成型された基材（例えばりん青銅、ベリリウム銅、チタン銅、コルソン（ニッケル−シリコン）系銅合金）上に、下地めっき（例えばニッケルめっき）を施した後に、仕上げめっき（例えば錫−銅めっき、錫−鉛めっき、金めっき）を施して作製する。リセプタクル側アンカー４０及びプラグ側アンカー８０の板厚は、コネクタの小型化、低背化を考慮しつつ、ばね設計や加工性の観点から、０．０８〜０．１５ｍｍであることが好ましい。このときの下地めっきの厚さは、０．５μｍ〜４μｍであることが好ましい。これは、０．５μｍ未満であると下地めっきとしての効果が得られず、４μｍを超えると、コストが上がるとともにプラグ５０との摺接時の変形によってクラックが生じやすくなるためである。また、仕上げめっきの厚さは、１〜１０μｍであることが好ましい。これは、１μｍ未満であると仕上げめっきとしての効果が得られず、１０μｍを超えると、コストが上昇するためである。とくに、仕上げめっきが金めっきの場合は０．０３〜０．２μｍが好ましい。これは、０．０３μｍ未満であると仕上げめっきとしての効果が得られず、０．２μｍを超えると、コストが上昇するためである。
【００３１】
以上の構成によれば、プラグ５０をリセプタクル１０に嵌合すると、リセプタクルコンタクト３０内にプラグコンタクト７０が嵌合されるともに、プラグ側アンカー８０の挿入部８３が壁部６４とともに凹部４３ｂ内に嵌入されて、プラグ側アンカー８０がリセプタクル側アンカー４０に保持される。これにより、プラグ５０とリセプタクル１０とのロック状態を実現し、かつ、プラグ側アンカー８０とリセプタクル側アンカー４０が互いに導通する（図５）。壁部６４の端面６４ｅから鉛直部８３ａの外側面８３ａ２までの距離Ｄ２が、Ｄ１より大きく設定されているため、挿入部８３と壁部６４は凹部４３ｂの弾性力によって確実に保持される。さらに、Ｄ２がＤ３より小さいため、プラグ５０をリセプタクル１０に嵌合したときに凹部４３ｂが開くように弾性変形するにもかかわらず、確実に第２突起部４３ｂ２がプラグ５０と当接することができ、プラグ５０が抜けやすくなることを防止できる。
【００３２】
さらに、略Ｕ字形状の凹部４３ｂの開口部分に内側に突出する第１突起部４３ｂ１及び第２突起部４３ｂ２を設け、鉛直部８３ａに突起部８３ａ１を設けたことにより、挿入部８３を凹部４３ｂに嵌入するときに突起部８３ａ１が第１突起部４３ｂ１及び第２突起部４３ｂ２を乗り越えることになる。このため、凹部４３ｂ内に挿入部８３を嵌入するときにクリック感を得ることができるとともに、嵌入後は挿入部８３が凹部４３ｂから容易に抜けることを防止して、プラグ５０とリセプタクル１０とのロック状態を強固なものとすることができる。
【００３３】
また、弾性保持部４３と挿入部８３の圧延面を互いに摺動させて凹部４３ｂ内に挿入部８３を嵌入することとしているため、プラグ５０の挿抜を繰り返しても弾性保持部４３、挿入部８３、及びその周辺の部材に損傷を与えることが少ない。よって、挿抜に対する耐久性の高いコネクタを実現することができる。
【００３４】
さらに、リセプタクル１０に対してプラグ５０の嵌合位置がずれたり、プラグ５０がねじれた状態で嵌合されたとしても、弾性保持部４３は、その形状及び弾性により容易に追従することができるため、一定の保持力による確実なロック状態を実現することができる。
【００３５】
また、図５に示す例では凹部４３ｂに壁部６４及び挿入部８３を嵌入していたが、図６に示すように挿入部８３のみを嵌入する構成とすることもできる。この場合は、第１突起部４３ｂ１と第２突起部４３ｂ２との間隔Ｄ１、プラグ５０の長手方向における基部８２の外側面８２ａから鉛直部８３ａの外側面８３ａ２までの距離Ｄ４、及び、第１突起部４３ｂ１と、第２立設部１４５の内面のうち連結部４２から最も遠い部分までの距離Ｄ３の関係が、Ｄ３＞Ｄ４＞Ｄ１となっていることが好ましい。このような関係は、図５に示す例に比して第１立設部１４３と第２立設部１４５との間隔を狭めるように、かつ、第１突起部４３ｂ１と第２突起部４３ｂ２との間隔を狭めるように弾性保持部４３を加工し、及び／又は、プラグ側アンカー８０のうち少なくとも挿入部８３の板厚を大きくすることによって実現することができる。このような構造とすることにより、挿入部８３は凹部４３ｂの弾性力によって確実に保持されるとともに、プラグ５０をリセプタクル１０に嵌合したときに凹部４３ｂが開くように弾性変形するにもかかわらず、確実に第２突起部４３ｂ２がプラグ５０と当接することができ、プラグ５０が抜けやすくなることを防止できる。
【００３６】
嵌合されたプラグ５０をリセプタクル１０から離脱するとき、左右のアンカーが異なるタイミングで抜去（斜め抜き）された場合にリセプタクル側アンカー４０の係合部４３ｃがプラグ５０とともに持ち上げられやすくなることを防止するために、以下の（１）〜（５）の構成が有用である。
【００３７】
（１）図７に示すように、第１立設部１４３の鉛直方向略中央において水平方向外方に延びる係止部１４３ａを設け、リセプタクル本体２０のこれに対応する位置に凹部（不図示）を設け、リセプタクル本体２０にリセプタクル側アンカー４０を組み付けたときに係止部１４３ａが凹部に嵌合する構成とする。これにより、プラグ５０の離脱時にも係止部１４３ａは凹部内に嵌合された状態を維持するため、係合部４３ｃの持ち上がりを防止することができる。
また、リセプタクル本体２０に凹部を設けることなく係止部１４３ａをリセプタクル本体２０にくい込ませることで、第１立設部１４３が固定され係合部４３ｃの持ち上がりを防止することもできる。
【００３８】
（２）図８に示すように、係合部４３ｃのうち鉛直方向に延びる先端部分４３ｃ１（図９参照）の鉛直方向略中央において水平方向外方に延びる係止部４３ｃ２を設け、リセプタクル本体２０のこれに対応する位置に凹部（不図示）を設け、リセプタクル本体２０にリセプタクル側アンカー４０を組み付けたときに係止部４３ｃ２が凹部に嵌合する構成とする。これにより、プラグ５０の離脱時にも係止部４３ｃ２は凹部内に嵌合された状態を維持するため、係合部４３ｃの持ち上がりを防止することができる。
また、リセプタクル本体２０に凹部を設けることなく係止部４３ｃ２をリセプタクル本体２０にくい込ませることで、先端部分４３ｃ１が固定され係合部４３ｃの持ち上がりを防止することもできる。
【００３９】
（３）図９に示すように、係合部４３ｃの先端部分４３ｃ１の先端片４３ｃ３を第２立設部１４５から離間する側へ折り曲げ加工するとともに、リセプタクル本体２０の被係合部２４の対応する部分に凹部２５を設け、リセプタクル本体２０にリセプタクル側アンカー４０を組み付けたときに、先端片４３ｃ３が凹部２５に嵌入する構成とする。これにより、先端片４３ｃ３は凹部２５により上方への動きを規制されるため、プラグ５０の離脱時に係合部４３ｃの持ち上がりを防止することができる。
【００４０】
（４）図９に示すように、リセプタクル側アンカー４０がリセプタクル本体２０に組み付けられたときに、先端部分４３ｃ１側から係合部４３ｃの上方に突出する凸部２６を、リセプタクル本体２０に形成する。これにより、係合部４３ｃが凸部に当接することにより、プラグ５０の離脱時に係合部４３ｃが持ち上がることを防止することができる。
【００４１】
（５）図１０に示すように、壁部６４において、プラグ５０がリセプタクル１０に嵌合されたときに第２突起部４３ｂ２に当接する位置、或いは当接する位置より底部１４４側の位置から、底部１４４側へ向かうにつれて弾性保持部４３と端面６４ｅとの間隔が広くなるように、壁部６４に傾斜面６４ｅ１を設ける。この傾斜面６４ｅ１は平面であっても曲面であってもよい。これにより、プラグ５０がリセプタクル１０に嵌合された状態から斜め抜きされたとしても、第２突起部４３ｂ２と壁部６４との干渉を減らすことができるため、リセプタクル側アンカー４０がリセプタクル１０に引っかかることを防止することができる。
【００４２】
また、プラグ側アンカー８０の挿入部８３や突起８３ａ１の形状の精度が低いと、リセプタクル側アンカー４０とプラグ側アンカー８０との嵌合が不完全になったり、十分なロック力を得られない場合がある。この場合には、以下の構成（６）、（７）をとると効果的である。
【００４３】
（６）図１１に示すように、プラグ５０がリセプタクル１０に嵌合されたときに折り返し部８３ｂが壁部６４を介さず底部１４４と対向するように、基部８２から折り返し部８３ｂまでの長さＬ１及び折り返し部８３ｂから鉛直部８３ａの先端までの長さＬ２を大きくするとともに、プラグ本体６０の壁部６４のうち、底部１４４と略平行とされ折り返し部８３ｂと底部１４４の間に配置されていた先端部分を削除する。
【００４４】
（７）図１１に示すように、プラグ側アンカー８０の挿抜方向における突起部８３ａ１の位置を底部１４４側にシフトする。すなわち、プラグ５０がリセプタクル１０に嵌合されたとき、プラグ５０の挿抜方向において第１突起部４３ｂ１と突起部８３ａ１との間に接触マージンＬ４を形成する。
【００４５】
これらの構成（（６）、（７））によれば、例えコネクタの低背化が進んだとしてもプラグ側アンカー８０の挿入部８３を大きくすることができるので、より精度よく成形することができる。また、プラグ５０が実装される基板とリセプタクル１０が実装される基板との距離（スタッキング）や、これら基板の角度がばらついたとしても、接触マージンを設けることで常に安定した電気抵抗を得ることができる。さらに、接触マージンを設けることにより、プラグ側アンカー８０の嵌合時には、必ず突起部８３ａ１が第１突起部４３ｂ１を乗り越えることとなるため、安定したロック力を得ることができる。また、このような構成とすることにより、弾性保持部４３の凹部４３ｂと挿入部８３の鉛直部８３ａを確実に互いに電気的に導通させることができるため、リセプタクル側アンカー４０及びプラグ側アンカー８０を導通部材（例えばグランド接続用）として利用することができる。
【００４６】
また、図１２に示すように、連結部４２のうち基板面側（連結部４２の幅方向において弾性保持部４３が設けられていない側）に配置される端部（図１２の点線部分）を削除すると、リセプタクル側アンカー４０を実装する基板から連結部４２を離間させることができる。また、図１３に示すように、基部８２のうちの基板面側（基部８２の幅方向において挿入部８３が設けられていない側）に配置される端部、及び、挿入部８３のうちの鉛直部８３ａの先端部分（図１３の点線部分）を削除すると、プラグ側アンカー８０を実装する基板から基部８２及び鉛直部８３を離間させることができる。このように連結部４２、基部８２、鉛直部８３を基板から離間すると、基板のコネクタ搭載部分にパターン配線をするときに、基板上の離間部分にも配線することができるため、配線設計の自由度を高めることができる。また、コネクタを実装した後に、コネクタに対して基板側へ向かう外力がかかったとしても、リセプタクル側アンカー４０、プラグ側アンカー８０の直下（離間部分）にある配線が切断されたり、基板状のレジストが剥離して導体部分が露出してしまうことがない。さらに、基板上の配線やアンカーに瞬間的に大きな電流が流れた場合でも、短絡することを抑止できる。また、基板面と離間する距離は絶縁という機能からみて０．１ｍｍ以上が好ましい。
【００４７】
本発明について上記実施形態を参照しつつ説明したが、本発明は上記実施形態に限定されるものではなく、改良の目的または本発明の思想の範囲内において改良または変更が可能である。
【図面の簡単な説明】
【００４８】
【図１】本発明の実施形態に係るリセプタクルの構成を示す斜視図である。
【図２】（ａ）及び（ｂ）は本発明の実施形態に係るリセプタクル側アンカーの構成を示す斜視図、（ｃ）は（ａ）のＩＩＣ−ＩＩＣ線に沿った断面図、（ｄ）はリセプタクル側アンカーがリセプタクル本体に係合した状態を示す断面図、（ｅ）はリセプタクル側アンカーの変形例を示す側面図である。
【図３】（ａ）は本発明の実施形態に係るプラグの構成を示す斜視図であり、（ｂ）は（ａ）のＩＩＩＢ−ＩＩＩＢ線に沿った断面図である。
【図４】（ａ）及び（ｂ）は本発明の実施形態に係るプラグ側アンカーの構成を示す斜視図であり、（ｃ）は（ａ）のＩＶＣ−ＩＶＣ線に沿った断面図である。
【図５】リセプタクル側アンカーとプラグ側アンカーの嵌合状態を示す縦断面図である。
【図６】本発明に係るプラグ側アンカーの変形例の構成を示す縦断面図である。
【図７】本発明に係るリセプタクル側アンカーの第１立設部の変形例の構成を示す正面図である。
【図８】本発明に係るリセプタクル側アンカーの弾性保持部の係合部の変形例の構成を示す正面図である。
【図９】本発明に係るリセプタクル側アンカーの弾性保持部の係合部及びリセプタクル本体の変形例の構成を示す縦断面図である。
【図１０】本発明に係るプラグ本体の壁部の変形例の構成を示す縦断面図である。
【図１１】本発明に係るプラグ本体の壁部及びプラグ側アンカーの変形例の構成を示す縦断面図である。
【図１２】（ａ）及び（ｂ）は本発明に係るリセプタクル側アンカーの変形例の構成を示す斜視図である。
【図１３】（ａ）及び（ｂ）は本発明に係るプラグ側アンカーの変形例の構成を示す斜視図である。
【符号の説明】
【００４９】
１０      リセプタクル
２０      リセプタクル本体
２１      差込溝
３０      リセプタクルコンタクト
４０      リセプタクル側アンカー
４２      連結部
４３      弾性保持部
４３ｂ    凹部
４３ｂ１  第１突起部
４３ｂ２  第２突起部
５０      プラグ
６０      プラグ本体
６４      壁部
７０      プラグコンタクト
８０      プラグ側アンカー
８２      基部
８３      挿入部
８３ａ１  突起部
【図１】
2006100240.tif 000003
【図２】
2006100240.tif 000004
【図３】
2006100240.tif 000005
【図４】
2006100240.tif 000006
【図５】
2006100240.tif 000007
【図６】
2006100240.tif 000008
【図７】
2006100240.tif 000009
【図８】
2006100240.tif 000010
【図９】
2006100240.tif 000011
【図１０】
2006100240.tif 000012
【図１１】
2006100240.tif 000013
【図１２】
2006100240.tif 000014
【図１３】
2006100240.tif 000015